(57)【特許請求の範囲】
【請求項１】
略筒状に形成されると共に、第１の開口部と第２の開口部が設けられたケースと、
前記ケースの内部に設けられたコイルと、
略筒状に形成されると共に、前記ケースの内部の前記第２の開口部の近傍に設けられた固定磁極と、
前記コイルに通電したときに前記固定磁極に吸引されて前記固定磁極から最も離れた待機位置から前記固定磁極側に摺動し、前記コイルへの通電を停止したときに前記固定磁極から離隔して前記待機位置に復帰するように設けられた可動磁極と、
前記ケースの前記第１の開口部を閉止するように設けられたエンドキャップと、
前記エンドキャップの内側に前記可動磁極の端部と対向するように設けられ、前記可動磁極が前記待機位置にあるときに前記可動磁極を吸引して前記可動磁極を前記待機位置に保持する永久磁石と、
前記エンドキャップの内側面に配置されると共に、前記永久磁石を取り囲み、かつ、前記永久磁石よりも前記可動磁極側に突出するように設けられた可撓性の消音部材を有することを特徴とするソレノイド。
【請求項２】
前記エンドキャップは、前記可動磁極の端部と対向する部位に凹陥部又は貫通孔が形成され、
前記永久磁石は、前記エンドキャップの前記凹陥部又は前記貫通孔に嵌合されていることを特徴とする請求項１に記載のソレノイド。
【請求項３】
前記エンドキャップは、略円筒状に、かつ、前記可動磁極の中心軸方向に延びるように形成されると共に、前記可動磁極が内部を摺動可能に設けられた円筒状部と、該円筒状部の前記ケース側の端部に設けられると共に前記ケースの前記第１の開口部に固定された鍔状部と、前記円筒状部の前記ケース側とは反対側の端部に前記円筒状部の端部を閉止するように設けられると共に前記凹陥部又は前記貫通孔が形成された底部を備え、前記円筒状部は、前記可動磁極の中心軸方向において前記底部側の端部から前記消音部材の厚さと等しい又はほぼ等しい長さ離れた所定位置までの領域の内径が前記消音部材の径と等しい又はほぼ等しい所定内径に形成され、前記所定位置から前記鍔状部側の端部までの領域の内径が前記消音部材の前記径よりも小さくなるように形成され、
前記消音部材は、前記円筒状部の前記底部側の端部から前記消音部材の厚さと等しい又はほぼ等しい長さ離れた前記所定位置までの前記領域に保持されていることを特徴とする請求項２に記載のソレノイド。
【請求項４】
さらに、略円筒状に形成された巻胴部を備え、該巻胴部に前記コイルが巻回されると共に、前記巻胴部の内部に前記固定磁極及び前記可動磁極の一部又は全部が配置されているボビンと、
前記エンドキャップの前記円筒状部の内部に、又は、前記エンドキャップの前記円筒状部の内部と前記ボビンの前記巻胴部の内部とに跨がって、設けられると共に、前記可動磁極の摺動を案内する巻きブッシュを有することを特徴とする請求項３に記載のソレノイド。
【発明の詳細な説明】
【技術分野】
【０００１】
本発明は、ソレノイドに関し、特に可動磁極の位置を自己保持可能な構成を有するソレノイドに関する。
【背景技術】
【０００２】
いわゆる自己保持タイプのソレノイドにおいては、一体的に可動磁極の位置を自己保持するために永久磁石を設けている。このような永久磁石は、自己保持という観点からは可動磁極が永久磁石に当接するようにして、永久磁石によって生成される磁束が外部に漏洩せず、できる限り可動磁極を流れるようにすることが好ましい。しかし、永久磁石に対して可動磁極が直接衝突するように配置すると、永久磁石を打撃したときに騒音を生じる上に、永久磁石にひびや欠けを生じるなどの好ましくない影響を生じる。ひびや欠けを生じにくい材料からできた永久磁石もあるが、そのような材料は比較的高価である。そこで、永久磁石にこのような影響が及ばないようにするための発明がなされている。
【０００３】
図１７は、従来技術に係るソレノイドの断面概略図であり、（ａ）は退行状態、（ｂ）は通電状態を示す。図１７において、２０１はソレノイド、２０２はコイル、２０３は可動磁極、２０４はストッパ、２０５はヨーク、２０６は永久磁石、２０７はばねである。
である。
【０００４】
図１７は、特開２００４−２８８９０９公報において開示されている発明である。ソレノイド２０１は、図１ （ ａ ） に示す退行状態においてコイル２０２に電流が流れると、可動磁極２０３、ストッパ２０４、ヨーク２０５と永久磁石２０６を巡る磁束の流れを報じ、この流れによって発生した磁力によってばね２０７の弾性力に抗して可動磁極２０３がコイル２０２の内部を摺動し、ストッパ２０４に衝突したところで停止する。可動磁極２０３とストッパ２０４に衝突する際に、可動磁極２０３がプラスチック、ストッパ２０４がラバーマグネットで構成されているために、 鉄などの金属で構成されている場合に比べて衝突音が小さくなる。
【０００５】
以上の構成によれば、コイル２０２に通電する毎に発生する騒音を押さえることができる。ところが、ラバーマグネットは金属製の永久磁石に比べて吸引力が小さく、可動磁極を保持する力が小さくなる。外部からの振動や衝撃がある環境で、このようなソレノイドを使用すると、可動磁極がラバーマグネットのストッパから離れてしまうことがある。ラバーマグネットのストッパを大きくすれば吸引力は大きくなるが、ソレノイドの全長が長くなる、あるいは、ソレノイド全体の容積が大きくなるなどの副次的課題を生じることになる。
【先行技術文献】
【特許文献】
【０００６】
【特許文献１】特開２００４−２８８９０９公報
【発明の概要】
【発明が解決しようとする課題】
【０００７】
本発明は、上記課題を解決するために、可動磁極の位置を自己保持可能なソレノイドにおいて、可動磁極を所定の位置に保つ保持力を十分に確保でき、同時に、ソレノイドの全長が長くなる、あるいは、ソレノイド全体の容積が大きくなることがないソレノイドを提供することを目的とする。
【課題を解決するための手段】
【０００８】
請求項１に記載の発明は、略筒状に形成されると共に、第１の開口部と第２の開口部が設けられたケースと、前記ケースの内部に設けられたコイルと、略筒状に形成されると共に、前記ケースの内部の前記第２の開口部の近傍に設けられた固定磁極と、前記コイルに通電したときに前記固定磁極に吸引されて前記固定磁極から最も離れた待機位置から前記固定磁極側に摺動し、前記コイルへの通電を停止したときに前記固定磁極から離隔して前記待機位置に復帰するように設けられた可動磁極と、前記ケースの前記第１の開口部を閉止するように設けられたエンドキャップと、前記エンドキャップの内側に前記可動磁極の端部と対向するように設けられ、前記可動磁極が前記待機位置にあるときに前記可動磁極を吸引して前記可動磁極を前記待機位置に保持する永久磁石と、前記エンドキャップの内側面に配置されると共に、前記永久磁石を取り囲み、かつ、前記永久磁石よりも前記可動磁極側に突出するように設けられた可撓性の消音部材を有することを特徴とするソレノイドである。
【０００９】
請求項２に記載の発明は、請求項１に記載の発明において、前記エンドキャップは、前記可動磁極の端部と対向する部位に凹陥部又は貫通孔が形成され、前記永久磁石は、前記エンドキャップの前記凹陥部又は前記貫通孔に嵌合されていることを特徴とするソレノイドである。
【００１０】
請求項３に記載の発明は、請求項２に記載の発明において、前記エンドキャップは、略円筒状に、かつ、前記可動磁極の中心軸方向に延びるように形成されると共に、前記可動磁極が内部を摺動可能に設けられた円筒状部と、該円筒状部の前記ケース側の端部に設けられると共に前記ケースの前記第１の開口部に固定された鍔状部と、前記円筒状部の前記ケース側とは反対側の端部に前記円筒状部の端部を閉止するように設けられると共に前記凹陥部又は前記貫通孔が形成された底部を備え、前記円筒状部は、前記可動磁極の中心軸方向において前記底部側の端部から前記消音部材の厚さと等しい又はほぼ等しい長さ離れた所定位置までの領域の内径が前記消音部材の径と等しい又はほぼ等しい所定内径に形成され、前記所定位置から前記鍔状部側の端部までの領域の内径が前記消音部材の前記径よりも小さくなるように形成され、前記消音部材は、前記円筒状部の前記底部側の端部から前記消音部材の厚さと等しい又はほぼ等しい長さ離れた前記所定位置までの前記領域に保持されていることを特徴とするソレノイドである。
【００１１】
請求項４に記載の発明は、請求項３に記載の発明において、さらに、略円柱状に、かつ、前記可動磁極の中心軸方向に延びるように形成された円柱状部と、該円柱状部の前記可動磁極とは反対側の端部に設けられると共に前記ケースの前記第２の開口部に固定された鍔状蓋部を備えた補助磁極と、略円板状に形成されると共に、前記固定磁極と前記補助磁極との間に介在するように配置された別の永久磁石と、略円筒状に、かつ、前記可動磁極側の端部近傍の第１の部分の内径が該第１の部分よりも前記可動磁極側とは反対側にある第２の部分の内径よりも小さくなるように形成されると共に、前記第１の部分の内周面と前記第２の部分の内周面との境界に内周段差面が形成された固定磁極保持部材を有し、前記固定磁極は、前記可動磁極側の第１の円柱状部が前記可動磁極とは反対側の第２の円柱状部よりも径が大きくなるように形成されると共に、前記第１の円柱状部の外周面と前記第２の円柱状部の外周面との境界に段差面が形成され、前記固定磁極保持部材は、前記補助磁極の前記円柱状部、前記別の永久磁石及び前記固定磁極の前記第１の円柱状部が前記第２の円柱状部側から、かつ、前記内周段差面が前記固定磁極の前記段差面に接するように圧入されることによって、前記補助磁極、前記別の永久磁石及び前記固定磁極を一体の状態に保持していることを特徴とするソレノイドである。
【００１２】
請求項５に記載の発明は、請求項４に記載の発明において、前記可動磁極は、前記固定磁極側に孔が形成され、前記固定磁極、前記別の永久磁石及び前記補助磁極の前記円柱状部は、中心軸方向に貫通孔が形成され、さらに、一方の端部と近傍部分が他の部分よりも径が小さい嵌合小径部として形成され、該嵌合小径部が前記可動磁極の前記孔に圧入されることによって、前記可動磁極と一体的に設けられると共に、前記嵌合小径部以外の部分が前記固定磁極、前記別の永久磁石及び前記補助磁極の前記円柱状部の前記貫通孔に摺動可能に挿通され、かつ、前記固定磁極に摺動を支持されているシャフトを有することを特徴とするソレノイドである。
【００１３】
請求項６に記載の発明は、請求項５に記載の発明において、さらに、略円筒状に形成された巻胴部を備え、該巻胴部に前記コイルが巻回されると共に、前記巻胴部の内部に前記固定磁極及び前記可動磁極の一部又は全部が配置されているボビンと、前記エンドキャップの前記円筒状部の内部と前記ボビンの前記巻胴部の内部とに跨がって設けられると共に、前記可動磁極の摺動を案内する巻きブッシュを有することを特徴とするソレノイドである。
【００１４】
請求項７に記載の発明は、請求項６に記載の発明において、さらに、前記補助磁極の前記円柱状部の前記貫通孔の内部に設けられると共に、前記シャフトの摺動を案内する別の巻きブッシュを有することを特徴とするソレノイドである。
【発明の効果】
【００１５】
請求項１に記載の発明によれば、永久磁石を取り囲んでいる消音部材が、永久磁石よりも可動磁極側に突出するように設けられているので、可動磁極が待機位置に復帰するときに、可動磁極が消音部材のみに衝突して永久磁石に衝突しない、又は、可動磁極が永久磁石に非常に軽く衝突する構成となり、騒音の発生を低減することができ、かつ、ソレノイドの全長が長くなる、あるいは、ソレノイド全体の容積が大きくなることがない。
【００１６】
永久磁石をエンドキャップの凹陥部又は貫通孔に嵌合するので、ソレノイドの動作時に発生する振動や、外部からの振動によって永久磁石が当初設けた所定の位置からずれることを防止できる。
【００１７】
請求項３に記載の発明によれば、エンドキャップの円筒状部の底部側の端部から所定位置までの領域によって消音部材が保持されるので、ソレノイドを長期間使用する間に、消音部材がエンドキャップから剥がれ、可動磁極の摺動を阻害したり、騒音を低減する効果が低下したりするなどの問題の発生を防止することができる。
【００１８】
請求項４に記載の発明によれば、固定磁極保持部材に可動磁極、補助磁極及び別の永久磁石を圧入することによって、可動磁極、補助磁極及び別の永久磁石を一体的に保持するので、可動磁極、補助磁極及び別の永久磁石を精確に組み立てることができ、組立の正確性を欠くことを原因とする騒音や動作不良の発生を防止できる。
【００１９】
請求項５に記載の発明によれば、可動磁極の摺動がシャフトを介して固定磁極によって支持されるので、スリーブを設ける必要がなくなる。ひいては、スリーブを設けることを考慮した設計や組立手順を実行する必要がなくなる。
【００２０】
請求項６に記載の発明によれば、巻きブッシュを設けることによって、可動磁極を安定的に摺動させることができる。また、巻きブッシュは、スリーブよりも組み込みが容易なので、設計や組立手順にあまり影響がない。
【００２１】
請求項７に記載の発明によれば、別の巻きブッシュを設けることによって、シャフトが相当に長いソレノイドにおいてもシャフト及び可動磁極をぶれなく安定的に摺動させることができる。
【図面の簡単な説明】
【００２２】
【図１】本発明の第１の実施の形態に係るソレノイドの非通電状態を示す断面図である。
【図２】本発明の第１の実施の形態に係るソレノイドの非通電状態における待機状態保持用永久磁石とその周辺部分の拡大断面図である。
【図３】本発明の第１の実施の形態に係るソレノイドの通電状態を示す断面図である。
【図４】本発明の第１の実施の形態に係るソレノイドの通電状態における吸着状態保持用永久磁石とその周辺部分の拡大断面図である。
【図５】本発明の第１の実施の形態に係るソレノイドの動作を示す模式断面図（１）である。
【図６】本発明の第１の実施の形態に係るソレノイドの動作を示す模式断面図（２）である。
【図７】本発明の第１の実施の形態に係るソレノイドの動作を示す模式断面図（３）である。
【図８】本発明の第１の実施の形態に係るソレノイドの動作を示す模式断面図（４）である。
【図９】本発明の第１の実施の形態に係るソレノイドの動作を示す模式断面図（５）である。
【図１０】本発明の第１の実施の形態に係るソレノイドの部品を示す図（１）であり、（ａ）は吸着状態保持用永久磁石の平面図、（ｂ）は吸着状態保持用永久磁石の断面図、（ｃ）は待機状態保持用永久磁石の平面図、（ｄ）は待機状態保持用永久磁石の断面図である。
【図１１】本発明の第１の実施の形態に係るソレノイドの部品を示す図（２）であり、（ａ）は固定磁極の平面図、（ｂ）は固定磁極の断面図、（ｃ）は補助磁極の断面図、（ｄ）は補助磁極の平面図である。
【図１２】本発明の第１の実施の形態に係るソレノイドの部品を示す図（３）であり、（ａ）は可動磁極の平面図、（ｂ）は可動磁極の断面図、（ｃ）はボビンの断面図、（ｄ）はボビンの底面図である。
【図１３】本発明の第１の実施の形態に係るソレノイドの部品を示す図（３）であり、（ａ）はエンドキャップの平面図、（ｂ）はエンドキャップの断面図、（ｃ）はシャフトの平面図、（ｄ）はシャフトの正面図である。
【図１４】本発明の第１の実施の形態に係るソレノイドの部品を示す図（４）であり、（ａ）は固定磁極保持部材の平面図、（ｂ）は固定磁極保持部材の断面図、（ｃ）は消音用ワッシャの平面図、（ｄ）は消音用ワッシャの断面図である。
【図１５】本発明の第１の実施の形態に係るソレノイドの部品を示す図（５）であり、（ａ）はケースの平面図、（ｂ）はケースの断面図である。
【図１６】本発明の第２の実施の形態に係るソレノイドの非通電状態における待機状態保持用永久磁石とその周辺部分の拡大断面図である。
【図１７】従来技術に係るソレノイドの断面概略図であり、（ａ）は退行状態、（ｂ）は通電状態を示す。
【発明を実施するための形態】
【００２３】
まず、本発明の第１の実施の形態に係るソレノイドの全体概要について説明する。本発明の第１の実施の形態に係るソレノイドの非通電状態を示す断面図である。図１において、１０はソレノイド、１１は待機状態保持用永久磁石、１２は上面、１５は吸着状態保持用永久磁石、２０はエンドキャップ、２１は円筒状部、２２は底部、２３は鍔状部、３０は固定磁極、３１は突出部、３２は第１の円柱状部、３５は傾斜面、４０は補助磁極、４２は大径円柱状部、４３は鍔状部、５０は可動磁極、５１は逆円錐台状凹陥部、５５はシャフト、５７は嵌合小径部、６０はボビン、６２は第１の鍔状部、６４は第２の鍔状部、６５は第３の鍔状部、７０は固定磁極保持部材、７１は第１の部分、７２は第２の部分、７３は第３の部分、８０はケース、８２は第１の変形部、８３は第２の変形部、９０は消音用ワッシャ、９５は第１の巻きブッシュ、９６は吸引用コイル、９７は消磁用コイル、９８は第２の巻きブッシュである。また、図３は、本発明の第１の実施の形態に係るソレノイドの通電状態を示す断面図である。図３において、９２は上面であり、その他の符号は図１と同じものを示す。
【００２４】
本発明の第１の実施の形態に係るソレノイド１０は、図３に示す通電時と、図１に示す非通電時とのいずれにおいても可動磁極を自己保持できる二方向（双方向）自己保持型のリニアソレノイドである。したがって、ソレノイド１０は、待機状態と吸着状態との２つの状態において可動磁極を吸引して保持するために、待機状態保持用永久磁石１１と吸着状態保持用永久磁石１５との２つの永久磁石を設けている。なお、可動磁極の自己保持は、吸着状態保持用永久磁石１５を省略して、待機状態のときのみ保持できるようにしてもよい。また、自己保持型ソレノイドは、各種機器において利用されているが、本発明のソレノイドも各種機器に適用できるものであり、用途は特に限定されない。さらに、ソレノイド１０は、可動磁極５０が固定磁極３０から離れる方向の押圧力が負荷装置から加わっていることを前提とした構成となっている。よって、可動磁極５０を固定磁極３０から引き離すためのばねは設けていないが、このような押圧力が加わらない場合には、可動磁極と固定磁極との間などに可動磁極をさせるばねを設ければよい。
【００２５】
また、ソレノイド１０は、吸引用コイル９６と消磁用コイル９７とのコイルを２つ有している。吸引用コイル９６は、これに通電すると生成された磁束の流れによって、可動磁極５０が固定磁極３０に吸引されて固定磁極３０側に摺動する。可動磁極５０が固定磁極３０に吸着されると、吸引用コイル９６に対する通電を停止する。なお、吸引用コイル９６への通電停止後は、吸着状態保持用永久磁石１５の磁界が生成する磁束の流れによって吸着状態が保持される。また、消磁用コイル９７は、これに通電すると吸引用コイル９６とは逆方向の磁束の流れを生成し、吸着状態保持用永久磁石１５が生成する磁束の流れを打ち消して、可動磁極５０が固定磁極３０から引き離される。なお、ソレノイドへの通電を制御する回路がコイルへの通電方向を変更できる構成を持っている場合には、２つのコイルを設けずに１つのコイルのみを設けてもよい。
【００２６】
続けて、第１の実施の形態に係るソレノイド１０を構成する部品について説明する。図２は、本発明の第１の実施の形態に係るソレノイドの非通電状態における待機状態保持用永久磁石とその周辺部分の拡大断面図である。図２において用いた符号は、すべて図１と同じものを示す。また、図１０は、本発明の第１の実施の形態に係るソレノイドの部品を示す図（１）であり、（ａ）は吸着状態保持用永久磁石の平面図、（ｂ）は吸着状態保持用永久磁石の断面図、（ｃ）は待機状態保持用永久磁石の平面図、（ｄ）は待機状態保持用永久磁石の断面図である。図１０において、１３は下面、１６は上面、１７は下面、１８は内周面であり、その他の符号は図１と同じものを示す。さらに、図１３は、本発明の第１の実施の形態に係るソレノイドの部品を示す図（３）であり、（ａ）はエンドキャップの平面図、（ｂ）はエンドキャップの断面図、（ｃ）はシャフトの平面図、（ｄ）はシャフトの正面図である。図１３において、２４は切り欠き部、２５は凹陥部、２６は第１の内周面、２７は第２の内周面、２８は内底面、２９は傾斜面、５６は本体部であり、その他の符号は図１と同じものを示す。くわえて、図１５は、本発明の第１の実施の形態に係るソレノイドの部品を示す図（５）であり、（ａ）はケースの平面図、（ｂ）はケースの断面図である。図１５は、本発明の第１の実施の形態に係るソレノイドの部品を示す図（５）であり、（ａ）はケースの平面図、（ｂ）はケースの断面図である。図１５において、８１は本体部、８４は内周面、８５は第１の段差面、８６は第２の段差面、８７及び８８は内周面であり、その他の符号は図１と同じものを示す。
【００２７】
待機状態保持用永久磁石１１は、図１０（ｃ）及び（ｄ）に示すように、円板形状に形成されており、後述するエンドキャップ２０の凹陥部に下面１３側の部分が嵌合される。また、待機状態保持用永久磁石１１の上面１２は、可動磁極５０の先端面に平行となるように対向している。ただし、可動磁極５０の先端面が最も接近した状態においても、上面１２とこの先端面に接することはない。吸着状態保持用永久磁石１５は、図１０（ａ）及び（ｂ）に示すように、円環状に形成されており、図１に示すように、下面１７が固定磁極３０と接し、上面１６が補助磁極４０と上面１６接した状態で設けられている。また、吸着状態保持用永久磁石１５の内周面１８にはシャフト５５が挿通される。このように、吸着状態保持用永久磁石１５が固定磁極３０と補助磁極４０との間に介在することによって、可動磁極５０が固定磁極３０に吸着されたときに、吸引用コイル９６への通電停止後も可動磁極５０が固定磁極３０に一定程度の力で吸引され続ける。なお、待機状態保持用永久磁石１１又は吸着状態保持用永久磁石１５は、ソレノイドの内部構造や要求される磁界の強さに応じて円筒状や角柱状に形成してもよい。
【００２８】
図１に示すように、ソレノイド１０の外郭は、ケース８０と、ケース８０の可動磁極５０が配置されている側の端部を閉止するエンドキャップ２０と、ケース８０の固定磁極３０が配置されている側の端部を閉止する補助磁極４０とから構成されている。ケース８０は、図１５に示すように、円筒状形成されており、第１の変形部８２及び第２の変形部８３は組立工程において変形される。第１の変形部８２の内周面８７及び第２の変形部８３の内周面８８は、本体部８１の内周面８４よりもその内径が大きくなるように本体部８１よりも肉薄に形成されており、変形を容易にしている。また、第１の変形部８２及び第２の変形部８３を肉薄に形成することによって、内周面８４と内周面８７との段差面８５を補助磁極の圧入時の圧入深さの設定に利用し、同様に内周面８４と内周面８８との段差面８６をエンドキャップ２０の圧入時の圧入深さの設定に利用している。
【００２９】
エンドキャップ２０は、図１及び図１３（ａ）及び（ｂ）に示すように、円筒状部２１、底部２２及び鍔状部２３を備えている。円筒状部２１は、略円筒状に形成されており、さらに可動磁極５０の中心軸方向に延びるように形成されている。くわえて、円筒状部２１は、可動磁極５０の摺動を支持する役割も持つ。さらに、円筒状部２１は、ボビン６０と共に第１の巻きブッシュ９５を保持する役割も持つ。くわえて、図２及び図１３に示すように、円筒状部２１は、可動磁極５０の中心軸方向において底部２２側の端部、つまり、底部２２側の内側面から消音用ワッシャ９０の厚さよりも僅かに長い長さ離れた位置までの領域である第２の内周面２７が消音用ワッシャ９０の径と僅かに大きい内径に形成され、消音用ワッシャ９０の厚さよりも僅かに長い長さ離れた位置から鍔状部２３側の端部までの領域である第１の内周面２６の内径が消音用ワッシャ９０の径よりも小さくなるように形成されている。後述するように、消音用ワッシャ９０は可撓性材料から形成されているので、消音用ワッシャ９０を変形させて鍔状部２３側の開口部から第２の内周面２７のところまで押し込むことが容易に実行できる。また、第２の内周面２７のところに挿入された消音用ワッシャ９０は、第１の内周面２６の内径よりも径が大きいので、第２の内周面２７のところから容易に離脱することがない。
【００３０】
なお、第２の内周面２７の可動磁極５０の中心軸方向における長さは、消音用ワッシャ９０の厚さと等しい又はほぼ等しい範囲であれば、消音用ワッシャ９０厚さよりも僅かに短くてもよいが、消音用ワッシャ９０を完全に挿入できないことがあるので、消音用ワッシャ９０の厚さよりも僅かに長くすることが好ましい。同様の理由から、第２の内周面２７の内径も消音用ワッシャ９０の厚さと等しい又はほぼ等しい範囲であれば、消音用ワッシャ９０の径よりも僅かに小さくてもよいが、消音用ワッシャ９０の径よりも僅かに大きくすることが好ましいと言える。また、第２の内周面２７の可動磁極５０の中心軸方向における長さが消音用ワッシャ９０の厚さよりも僅かに短い、又は、第２の内周面２７の内径が消音用ワッシャ９０の厚さの径よりも僅かに小さい場合には、消音用ワッシャ９０の材料を可撓性の高いゴムとすることが好ましい。
【００３１】
エンドキャップ２０の底部２２は、円筒状部２１の可動磁極５０とは反対側の端部を閉止すると共に、待機状態保持用永久磁石１１を所定の位置に保持する機能を併せ持つ。すなわち、図１３（ｂ）に示すように、底部２２の内底面２８側、つまり、待機状態保持用永久磁石１１を設ける側に待機状態保持用永久磁石１１の径に対応した凹陥部２５が形成されており、待機状態保持用永久磁石１１の下面１３側の部分を圧入する。この圧入によって、待機状態保持用永久磁石１１は底部２２に確実に嵌合されるので、可動磁極５０が接近しても自らの吸引力によって離脱することがないように固定される。くわえて、外部からの振動や衝撃によって待機状態保持用永久磁石１１が脱落することを防止できる。また、エンドキャップ２０の鍔状部２３は、図１３に示すように、円筒状部２１の底部２２を設けた側とは反対側の端部から円形に広がっており、一部領域に切り欠き部２４を形成して図示していないリード線の導出をするための導出口としている。また、環状の傾斜面２９を形成して、図１に示すように、ケース８０の第２の変形部８３を変形して当接させることを容易にしている。なお、後述するように、消音用ワッシャ９０の内径を待機状態保持用永久磁石１１の径と等しい又はほぼ等しいものとする場合には、凹陥部２５を形成せずに、待機状態保持用永久磁石１１を底部２２の内底面２８側に接着剤で貼り付けてもよい。ただし、待機状態保持用永久磁石１１を確実に保持する観点からは、凹陥部２５を形成することが好ましい。また、凹陥部２５を形成しない場合、底部２２にピンを挿通でき、かつ、待機状態保持用永久磁石１１の径より内径が小さい貫通孔を設けてもよい。このような貫通孔を形成することによって、組立工程において、待機状態保持用永久磁石１１又は内底面２８に接着剤を塗布して待機状態保持用永久磁石１１を底部２２に押し付けた後に、この貫通孔に挿通したピンによって待機状態保持用永久磁石１１を押し上げて剥がすことが可能になる。
【００３２】
図４は、本発明の第１の実施の形態に係るソレノイドの通電状態における吸着状態保持用永久磁石とその周辺部分の拡大断面図である。図４において用いた符号は、すべて図１と同じものを示す。また、図１１は、本発明の第１の実施の形態に係るソレノイドの部品を示す図（２）であり、（ａ）は固定磁極の平面図、（ｂ）は固定磁極の断面図、（ｃ）は補助磁極の断面図、（ｄ）は補助磁極の平面図である。図１１において、３３は第２の円柱状部、３４は先端面、３６は第１の段差面、３７は第２の段差面、３８は後端面、３９は貫通孔、４１は小径円柱状部、４４は先端面、４５は小径周側面、４６は傾斜周側面、４７は大径周側面、４８は傾斜面、４９は貫通孔であり、その他の符号は図１と同じものを示す。さらに、図１２は、本発明の第１の実施の形態に係るソレノイドの部品を示す図（３）であり、（ａ）は可動磁極の平面図、（ｂ）は可動磁極の断面図、（ｃ）はボビンの断面図、（ｄ）はボビンの底面図である。図１２において、５２は円筒状凹陥部、５３は底面、６１は巻胴部、６３は切り欠き部、６６は内周面であり、その他の符号は図１と同じものを示す。また、図１４は、本発明の第１の実施の形態に係るソレノイドの部品を示す図（４）であり、（ａ）は固定磁極保持部材の平面図、（ｂ）は固定磁極保持部材の断面図、（ｃ）は消音用ワッシャの平面図、（ｄ）は消音用ワッシャの断面図である。図１４において、７４は第１の内周面、７５は第２の内周面、７６は第３の内周面、７７は段差面、７８は第１の傾斜面、７９は第２の傾斜面、９１は内周面、９３は下面であり、その他の符号は図１と同じものを示す。
【００３３】
固定磁極３０は、図１１（ａ）及び（ｂ）に示すように、全体が略筒状に形成されており、可動磁極５０側には略円錐台形状に形成された突出部３１が設けられ、突出部３１から吸着状態保持用永久磁石１５側に向かって第１の円柱状部３２、第２の円柱状部３３の順に設けられている。突出部３１は、吸引用コイル９６への通電時の吸引力（推力）の急変を押さえるために、全ての周側面を同じ傾斜を持つ傾斜面３５としており、傾斜面３５に囲まれた部分が略円錐台形状に形成されている。突出部３１が可動磁極５０を吸着したときには、図４に示すように、逆円錐台状凹陥部５１の内部に進入した状態となる。また、突出部３１と第１の円柱状部３２との境界である第１の段差面３６は、図４に示すように、可動磁極５０と当接して可動磁極５０の摺動を規制する。なお、突出部３１の先端面３４は、可動磁極５０の吸着時の張り付きを防止するために、可動磁極５０とは当接しない構成としている。
【００３４】
第１の円柱状部３２及び第２の円柱状部３３は、固定磁極保持部材７０に対して所定深さに圧入するために形成したものである。すなわち、第１の円柱状部３２と第２の円柱状部３３との境界である第２の段差面３７は、固定磁極保持部材７０の第１の部分７１が第２の段差面３７を係止することによって、固定磁極３０の離脱を防止するために形成したものである。また、固定磁極３０を固定磁極保持部材７０に圧入すると、図４に示すように、第２の円柱状部３３の後端面３８が吸着状態保持用永久磁石１５の下面１７に接した状態となる。さらに、固定磁極３０は、図１１（ｂ）に示すように、突出部３１、第１の円柱状部３２及び第２の円柱状部３３の全体を貫通する貫通孔３９が形成されている。貫通孔３９は、可動磁極５０の中心軸方向に平行となるように形成されており、図４に示すように、シャフト５５が挿通されるが、シャフト５５には接していない。
【００３５】
補助磁極４０は、ケース８０の第１の変形部８２側の開口部を閉止する蓋として機能すると共に、固定磁極３０と同様に固定的な磁気回路の構成部材としての機能を併せ持つ。また、補助磁極４０は、図１１（ｃ）及び（ｄ）に示すように、小径円柱状部４１と大径円柱状部４２とからなる円柱状部と鍔状部４３とを備えている。小径円柱状部４１及び大径円柱状部４２は、いずれも固定磁極保持部材７０に対して入するために形成したものである。小径円柱状部４１の先端面４４は、図４に示すように、吸着状態保持用永久磁石１５の上面１６と接している。小径円柱状部４１は大径円柱状部４２よりも僅かに径が小さくなるように形成されている。また、大径円柱状部４２の径は、吸着状態保持用永久磁石１５及び固定磁極３０の第２の円柱状部３３の径と等しくなるように形成されている。よって、固定磁極保持部材７０に対して第２の円柱状部３３、吸着状態保持用永久磁石１５及び大径円柱状部４２を圧入したときに、第２の円柱状部３３、吸着状態保持用永久磁石１５及び大径円柱状部４２の中心軸が一致して、シャフト５５をスムーズに摺動させることができる。
【００３６】
また、小径円柱状部４１の小径周側面４５と、大径円柱状部４２の大径周側面４７との境界は、他の部品で形成したような段差面にせずに傾斜周側面４６としている。傾斜周側面４６は、図４に示すように、小径円柱状部４１及び大径円柱状部４２を固定磁極保持部材７０に対して圧入するときに、傾斜周側面４６が固定磁極保持部材７０の第３の部分７３を誘い込んで大径円柱状部４２に対してスムーズに圧入されることを目的として形成している。鍔状部４３は、ケース８０の第１の変形部８２に圧入される部分である。また、鍔状部４３は、エンドキャップ２０の鍔状部２３と同様に、ケース８０第２の変形部８２を変形して当接させることを容易にするために、環状の傾斜面４８を形成している。くわえて、小径円柱状部４１、大径円柱状部４２及び鍔状部４３の全体を貫通する貫通孔４９が形成されている。貫通孔４９は、可動磁極５０の中心軸方向に平行となるように形成されており、図４に示すように、シャフト５５の摺動を案内する第２の巻きブッシュ９８が設けられる。
【００３７】
可動磁極５０は、図１２（ａ）及び（ｂ）に示すように、全体が略円筒状の外形を有しており、固定磁極３０と対向する側の部分に逆円錐台状凹陥部５１が形成されている。逆円錐台状凹陥部５１は、固定磁極３０の突出部３１が進入する部分であり、略円錐台形状に形成された突出部３１とは凹凸がほぼ逆転した形状となっている。なお、この凹陥部の形状は、円錐台状に限られるものはなく、ソレノイド１０の必要となる特性に応じて階段状の凹陥部にするなど他の形状に形成してもよい。また、前述のように、可動磁極５０が固定磁極３０に吸着された状態において、逆円錐台状凹陥部５１の底面５３は突出部３１の先端面３４と接することがない構成としている。さらに、底面５３の中央には、円筒状凹陥部５２が形成されている。円筒状凹陥部５２は、シャフト５５が嵌合される孔であり、可動磁極５０の中心軸に沿って穿孔されたものである。
【００３８】
ボビン６０は、図１２（ｃ）及び（ｄ）に示すように、円筒形状の巻胴部６１の補助磁極４０側の端部に第１の鍔状部６２が設けられ、巻胴部６１のエンドキャップ２０側の端部に第２の鍔状部６４及び第３の鍔状部６５が設けられている。第３の鍔状部６５には、図示していないリード線を外部へ導出するための切り欠き部６３が形成されているが、第２の鍔状部６４にも図示していない部位にコイルワイヤの配線のためのスリットが形成されている。また巻胴部６１の内周面６６のエンドキャップ２０側の端部近傍の部分には、図１及び図２に示すように、可動磁極５０の摺動を案内する第１の巻きブッシュ９５がエンドキャップ２０の第１の内周面２６と跨がった状態で設けられている。なお、第１の巻きブッシュ９５は、例えばシャフト５５が固定磁極３０の貫通孔３９によってぶれなく摺動するように十分に支持されている場合や、第２の巻きブッシュ９８よって及びシャフト５５がぶれなく摺動するように案内されているには、内周面６６に跨がることなく、エンドキャップ２０の第１の内周面２６のみに設けてもよい。シャフト５５は、図１３（ｃ）及び（ｄ）に示すように、本体部５６よりも径を小さく形成されると共に、下側（基端側）が可動磁極５０の円筒状凹陥部５２に嵌合される嵌合小径部５７として形成される。なお、嵌合小径部５７を円筒状凹陥部５２に圧入する際には、本体部５６の外周面と嵌合小径部５７の外周面との段差面が圧入の終了位置となる。
【００３９】
固定磁極保持部材７０は、図１４（ａ）及び（ｂ）に示すように、全体が略円筒形状に形成されており、可動磁極５０側から順に、最も肉厚が厚い第１の部分７１、第１の部分７１よりも肉厚が薄い第２の部分７２、最も肉厚が薄い第３の部分７３が設けられている。また、第１の部分７１、第２の部分７２及び第３の部分７３の肉厚の差による段差は、内周面に形成されており、外周面は１つの円筒状面に形成されている。第１の部分７１の第１の内周面７４と第２の部分７２の第２の内周面７５との段差面７７は、前述のように、組立状態において固定磁極３０の第２の段差面と当接した状態となり、固定磁極３０を係止する役割を持つ面である。第２の部分７２の第２の内周面７５と第３の部分７３の第３の内周面７６との境界領域は、段差面でなく、傾斜した第１の傾斜面７８として形成されている。第１の傾斜面７８は、補助磁極４０を圧入する際に大径円柱状部４２を誘い込んで圧入がスムーズに行われることを目的として形成したものである。さらに、第３の部分７３の補助磁極４０の鍔状部４３側の端部に形成された第２の傾斜面７９は、固定磁極３０、吸着状態保持用永久磁石１５及び補助磁極４０を圧入する際に、これらのものを誘い込んで圧入がスムーズに行われることを目的として形成したものである。
【００４０】
消音用ワッシャ９０は、待機状態保持用永久磁石１１に代わって可動磁極５０に衝突することによって、可動磁極５０を保護すると共に、可動磁極５０の衝突時の騒音を低減する役割を持つ。すなわち、図１４（ｃ）及び（ｄ）に示すように、全体が円環状に形成され、上面９２及び下面９３は平坦面に形成されている。また、内周面９１に囲まれた空間内に待機状態保持用永久磁石１１が配置されるが、図２に示すように、上面９２が待機状態保持用永久磁石１１の上面１２よりも可動磁極５０側、つまり上側に向かって突出している。さらに、消音用ワッシャ９０は、可撓性のあるゴム又は樹脂を材料として形成されている。よって、可動磁極５０が上面９２側に衝突したときの衝撃は、消音用ワッシャ９０全体で吸収されるので、永久磁石に衝突したときのような比較的大きな騒音を発生することがない。なお、消音用ワッシャ９０は、可動磁極５０を保護すると共に、可動磁極５０の衝突時の騒音を低減できるものであれば、完全に環状に形成されておらず、切れ目が形成されていてもよい。また、消音用ワッシャ９０の材料は、可撓性があり、かつ、エンドキャップ２０の円筒状部２１に挿入できる程度の可撓性があり、さらに可動磁極５０からの衝撃に一定程度の耐久性を持つものであれば、ソレノイド１０の用途等に応じて適宜選択すればよい。ソレノイド１０の全長をさらに短くするために、上面９２が待機状態保持用永久磁石１１の上面１２よりも僅かに可動磁極５０側に突出するようにし、可動磁極５０と上面１２の間隙を小さくする構成とし、可動磁極５０が待機状態保持用永久磁石１１に非常に軽く衝突するようにすることも可能ではあるが、騒音の発生を押さえるという観点からは、可動磁極５０が待機状態保持用永久磁石１１に衝突しない構成とすることが望ましい。
【００４１】
さらに、第１の実施の形態に係るソレノイド１０の動作について説明する。図５は、本発明の第１の実施の形態に係るソレノイドの動作を示す模式断面図（１）である。また、図６は、本発明の第１の実施の形態に係るソレノイドの動作を示す模式断面図（２）である。さらに、図７は、本発明の第１の実施の形態に係るソレノイドの動作を示す模式断面図（３）である。くわえて、図８は、本発明の第１の実施の形態に係るソレノイドの動作を示す模式断面図（４）である。また、図９は、本発明の第１の実施の形態に係るソレノイドの動作を示す模式断面図（５）である。図５乃至図９において用いた符号は、いずれも図１と同じものを示す。くわえて、図５乃至図９においては、ハッチングの記載を書略している。
【００４２】
最初に、ソレノイド１０をオフ状態からオン状態にするときの動作について述べる。まず、図１は、吸引用コイル９６と消磁用コイル９７とのいずれにも通電しておらず、完全にオフとなっている状態を示している。可動磁極５０は、固定磁極３０から最も離れた位置、つまり、消音用ワッシャ９０に接した待機状態にある。この状態において、吸引用コイル９６に通電すると磁界が生成されて、図５に示すように、吸引用コイル９６が可動磁極５０、固定磁極３０、吸着状態保持用永久磁石１５、補助磁極４０、ケース８０とエンドキャップ２０を巡る磁気回路ができる。この磁気回路の磁束の流れは、可動磁極５０が固定磁極３０に吸着されるのに必要十分な大きさに設定されており、可動磁極５０が固定磁極３０に向かって直ちに摺動し、図６に示すように、可動磁極５０が固定磁極３０に吸着した状態となる。可動磁極５０の固定磁極３０への吸着が官僚すると、吸引用コイル９６への通電が停止される。通電を停止することによって吸引用コイル９６は磁界を生成しなくなる。しかし、吸着状態保持用永久磁石１５が生成する磁界によって、図７に示すように、吸引用コイル９６への通電を停止しても、可動磁極５０が固定磁極３０に吸着された状態を保持し続ける程度の磁束の流れができる。よって、シャフト５５が補助磁極４０から突出した状態が維持される。
【００４３】
次に、ソレノイド１０をオン状態からオフ状態にするときの動作について述べる。可動磁極５０が固定磁極３０に吸着された状態を解消するために、消磁用コイル９７に通電する。消磁用コイル９７に通電すると、吸着状態保持用永久磁石１５が生成する磁界を打ち消す方向の磁束の流れを生じて、図８に示すように、図示していない負荷装置からの反発力によってシャフト５５が押し戻されて行く。シャフト５５が押し戻されることによって可動磁極５０も固定磁極３０から固定磁極３０から最も離れた位置に向かって摺動する。そして、図９に示すように、可動磁極５０が消音用ワッシャ９０に衝突することによって、可動磁極５０及びシャフト５５が停止するが、可動磁極５０が待機状態保持用永久磁石１１に衝突することはない。したがって、待機状態保持用永久磁石１１に衝突することによって、騒音を発すること、及び、衝突の衝撃によって待機状態保持用永久磁石１１に亀裂や欠けを生じることがない。また、この状態において、待機状態保持用永久磁石１１が生成する磁界によって、待機状態保持用永久磁石１１、可動磁極５０とエンドキャップ２０を巡る磁気回路ができる。可動磁極５０が待機状態保持用永久磁石１１に吸着された状態を保持し続けるので、小さな振動程度では可動磁極５０が待機位置から移動することはなく、この状態が継続される。
【００４４】
以上のように、本発明の第１の実施の形態に係るソレノイド１０は、待機状態保持用永久磁石１１を取り囲んでいる消音部材である消音用ワッシャ９０が、待機状態保持用永久磁石１１よりも可動磁極５０側に突出するように設けられているので、可動磁極５０が待機位置に復帰するときに、可動磁極５０が消音用ワッシャ９０のみに衝突して待機状態保持用永久磁石１１に衝突しない構成となり、騒音の発生を低減することができ、かつ、ソレノイド１０の全長が長くなる、あるいは、ソレノイド全体の容積が大きくなることがない。また、待機状態保持用永久磁石１１をエンドキャップの凹陥部２５に嵌合するので、ソレノイド１０の動作時に発生する振動や、外部からの振動によって待機状態保持用永久磁石１１が当初設けた所定の位置からずれることを防止できる。また、エンドキャップ２０の円筒状部２１の底部２２側の端部から所定位置までの領域によって消音用ワッシャ９０が保持されるので、ソレノイド１０を長期間使用する間に、消音用ワッシャ９０がエンドキャップ２０から剥がれ、可動磁極５０の摺動を阻害したり、騒音を低減する効果が低下したりするなどの問題の発生を防止することができる。さらに、固定磁極保持部材７０に可動磁極５０、補助磁極４０及び吸着状態保持用永久磁石１５を圧入することによって、可動磁極５０、補助磁極４０及び吸着状態保持用永久磁石１５を一体的に保持するので、可動磁極５０、補助磁極４０及び吸着状態保持用永久磁石１５を精確に組み立てることができ、組立の正確性を欠く、つまりこれらの中心軸にずれや傾きことを生じることを原因とする騒音や動作不良の発生を防止できる。くわえて、可動磁極５０の摺動がシャフト５５を介して固定磁極３０によって支持されるので、スリーブを設ける必要がなくなる。ひいては、スリーブを設けることを考慮した設計や組立手順を実行する必要がなくなる。また、第１の巻きブッシュ９５を設けることによって、可動磁極５０を安定的に摺動させることができる。また、巻きブッシュは、スリーブよりも組み込みが容易なので、設計や組立手順にあまり影響がない。さらに、第２の巻きブッシュ９８を設けることによって、シャフト５５が相当に長いソレノイドにおいてもシャフト５５及び可動磁極５０をぶれなく安定的に摺動させることができる。
【００４５】
さらに、本発明の第２の実施の形態に係るソレノイドについて説明する。図１６は、本発明の第２の実施の形態に係るソレノイドの非通電状態における待機状態保持用永久磁石とその周辺部分の拡大断面図である。図１６において、１１０はソレノイド、１１１は待機状態保持用永久磁石、１１２は上面、１１３は上部、１１４は下部、１２０はエンドキャップ、１２１は円筒状部、１２２は底部、１２３は鍔状部、１２９は開口部。１６０はボビン、１５０は可動磁極、１８３は第２の変形部、１９０は消音用ワッシャ、１９２は上面、１９５は第１の巻きブッシュである。
【００４６】
本発明の第２の実施の形態に係るソレノイド１１０は、エンドキャップ１２０の底部１２２に開口部１２９を設けると共に、待機状態保持用永久磁石１１１を円形の開口部１２９に嵌合されている点に特徴がある。待機状態保持用永久磁石１１１は、円柱状の上部１１３の径が開口部１２９の径と等しくなるように形成されており、円柱状の下部１１４は上部１１３よりも径が大きく形成されている。また、本発明の第１の実施の形態に係るソレノイド１０と同様に、消音用ワッシャ１９０は、上面１９２が上部１１３の上面１１２よりも可動磁極１５０側に突出するように設けられている。さらに、消音用ワッシャ１９０は、下部１１４が底部１２２に接着されている。なお、エンドキャップ１２０の円筒状部１２１とボビン１６０に跨がるように第１の巻きブッシュ１９５が配置されている構成、さらに鍔状部１２３が第２の変形部１８３によって固定されている構成やその他の図示していない各部位の構成は、本発明の第１の実施の形態に係るソレノイド１０と同じである。
【００４７】
以上の第２の実施の形態に係るソレノイド１１０によれば、待機状態保持用永久磁石１１１の容積を本発明の第１の実施の形態に係るソレノイド１０の待機状態保持用永久磁石１１よりも相当に大きくできるので、可動磁極１５０に対してより大きな吸引力が要求される場合に好適である。また、第１の実施の形態に係るソレノイド１０の待機状態保持用永久磁石１１よりも磁力が弱い安価な材料の磁石を待機状態保持用永久磁石１１１として採用しても、待機状態保持用永久磁石１１と同等の磁力を得ることができる。さらに、待機状態保持用永久磁石１１１の下部１１４の径が底部１２２の開口部１２９の径よりも大きいので、待機状態保持用永久磁石１１１が振動などによって当初設けた所定の位置からずれることを防止できる上に、待機状態保持用永久磁石１１１がエンドキャップ１２０の内部に離脱することを確実に防止できる。
【００４８】
本発明は以上に説明した内容に限定されるものではなく、例えば、ケースに代えてフレーム状のヨークを設けてもよく、直動型ではなく揺動型又は回転型のソレノイドに適用してもよい。このように、各請求項に記載した範囲を逸脱しない限りにおいて種々の変形を加えることが可能である。
【符号の説明】
【００４９】
１０    ソレノイド
１１    待機状態保持用永久磁石
１２    上面
１３    下面
１５    吸着状態保持用永久磁石
１６    上面
１７    下面
１８    内周面
２０    エンドキャップ
２１    円筒状部
２２    底部
２３    鍔状部
２４    切り欠き部
２５    凹陥部
２６    第１の内周面
２７    第２の内周面
２８    内底面
２９    傾斜面
３０    固定磁極
３１    突出部
３２    第１の円柱状部
３３    第２の円柱状部
３４    先端面
３５    傾斜面
３６    第１の段差面
３７    第２の段差面
３８    後端面
３９    貫通孔
４０    補助磁極
４１    小径円柱状部
４２    大径円柱状部
４３    鍔状部
４４    先端面
４５    小径周側面
４６    傾斜周側面
４７    大径周側面
４８    傾斜面
４９    貫通孔
５０    可動磁極
５１    逆円錐台状凹陥部
５２    円筒状凹陥部
５３    底面
５５    シャフト
５６    本体部
５７    嵌合小径部
６０    ボビン
６１    巻胴部
６２    第１の鍔状部
６３    切り欠き部
６４    第２の鍔状部
６５    第３の鍔状部
６６    内周面
７０    固定磁極保持部材
７１    第１の部分
７２    第２の部分
７３    第３の部分
７４    第１の内周面
７５    第２の内周面
７６    第３の内周面
７７    段差面
７８    第１の傾斜面
７９    第２の傾斜面
８０    ケース
８１    本体部
８２    第１の変形部
８３    第２の変形部
８４    内周面
８５    第１の段差面
８６    第２の段差面
８７    内周面
８８    内周面
９０    消音用ワッシャ
９１    内周面
９２    上面
９３    下面
９５    第１の巻きブッシュ
９６    吸引用コイル
９７    消磁用コイル
９８    第２の巻きブッシュ
１１０  ソレノイド
１１１  待機状態保持用永久磁石
１１２  上面
１１３  上部
１１４  下部
１２０  エンドキャップ
１２１  円筒状部
１２２  底部
１２３  鍔状部
１２９  開口部
１５０  可動磁極
１６０  ボビン
１８３  第２の変形部
１９０  消音用ワッシャ
１９２  上面
１９５  第１の巻きブッシュ
２０１  ソレノイド
２０２  コイル
２０３  可動磁極
２０４  ストッパ
２０５  ヨーク
２０６  永久磁石
２０７  ばね
【図１】
0006439457.tif 000002
【図２】
0006439457.tif 000003
【図３】
0006439457.tif 000004
【図４】
0006439457.tif 000005
【図５】
0006439457.tif 000006
【図６】
0006439457.tif 000007
【図７】
0006439457.tif 000008
【図８】
0006439457.tif 000009
【図９】
0006439457.tif 000010
【図１０】
0006439457.tif 000011
【図１１】
0006439457.tif 000012
【図１２】
0006439457.tif 000013
【図１３】
0006439457.tif 000014
【図１４】
0006439457.tif 000015
【図１５】
0006439457.tif 000016
【図１６】
0006439457.tif 000017
【図１７】
0006439457.tif 000018